(57)【要約】【課題】電気所の各開閉器の動作を一括して遠隔監視するコストを低減する。【解決手段】遠隔監視制御装置２００が、操作対象の開閉器に操作指令を送信するとともに、操作対象の開閉器の操作ログを出力し、開閉器一括監視装置１００が、操作対象の開閉器の動作が開始してから終了するまでの間、制御電源の配線用遮断器ＭＣＣＢ２を流れる主幹電流Ｉ１を測定して操作対象の開閉器の制御電流波形として記録し、開閉器一括監視装置１００が、記録された制御電流波形に基づき制御電流が流れた時間を操作対象の開閉器の動作時間として検出し、開閉器一括監視装置１００が、検出した操作対象の開閉器の動作時間を示す動作時間信号Ｓ２を、遠隔監視制御装置２００に送信し、遠隔監視制御装置２００が、開閉器一括監視装置１００から受信した動作時間信号Ｓ２が示す操作対象の開閉器の動作時間ログを、操作ログに続けて出力する。【選択図】図７
2010178475.tif 000002
【特許請求の範囲】
【請求項１】
遠隔監視制御装置が制御所に配置され、当該遠隔監視制御装置と通信可能に接続された遠隔監視制御対象機器である複数の開閉器と、当該複数の開閉器の各制御部及び当該複数の開閉器以外の機器の各制御部に流れる制御電流を配線用遮断器より分岐して供給する制御電源と、当該複数の開閉器の動作を一括監視する開閉器一括監視装置と、が電気所に配置され、前記遠隔監視制御装置が前記開閉器一括監視装置を介して前記複数の開閉器の動作を一括監視する開閉器一括遠隔方法であって、
前記遠隔監視制御装置が、前記複数の開閉器のうち操作対象の開閉器に操作指令を送信するとともに、当該操作対象の開閉器の操作ログを出力するステップと、
前記開閉器一括監視装置が、前記遠隔監視制御装置からの操作指令に基づき前記操作対象の開閉器の動作が開始してから終了するまでの間、前記制御電源の前記配線用遮断器を流れる主幹電流波形を測定して前記操作対象の開閉器の制御電流波形として記録するステップと、
前記開閉器一括監視装置が、記録された制御電流波形に基づき制御電流が流れた時間を前記操作対象の開閉器の動作時間として検出するステップと、
前記開閉器一括監視装置が、検出した前記操作対象の開閉器の動作時間を示す動作時間信号を、前記遠隔監視制御装置に送信するステップと、
前記遠隔監視制御装置が、前記開閉器一括監視装置から受信した動作時間信号が示す前記操作対象の開閉器の動作時間ログを、前記操作ログに続けて出力するステップと、
を有することを特徴とする開閉器一括遠隔監視方法。
【請求項２】
請求項１に記載の開閉器一括遠隔監視方法であって、
前記開閉器一括監視装置が、測定した主幹電流波形から定常電流を差し引いた相対電流波形が、前記開閉器の制御電流波形の特性に基づき前記複数の開閉器のいずれかの制御部に流れる制御電流波形であるか否かを判定するステップと、
前記開閉器一括監視装置が、前記制御電流波形であることが判定されたとき、測定した主幹電流波形を制御電流波形として記録するステップと、
前記開閉器一括監視装置が、制御電流波形の記録が完了したことを示す状態信号を、前記動作時間信号とともに前記遠隔監視制御装置に送信するステップと、
前記遠隔監視制御装置が、前記操作指令を送信した後に前記開閉器一括監視装置より前記動作時間信号とともに前記状態信号を受信するか否かを監視するステップと、
前記遠隔監視制御装置が、前記状態信号を受信した場合、前記開閉器一括監視装置の動作ログを、前記操作ログに続けて出力するステップと、
を有することを特徴とする開閉器一括遠隔監視方法。
【請求項３】
請求項１又は２に記載の開閉器一括遠隔監視方法であって、
前記遠隔監視制御装置が、前記動作時間信号が示す前記操作対象の開閉器の動作時間と予め記憶しておいた前記開閉器の標準動作時間との差が基準値以内か否かを判定するステップと、
前記遠隔監視制御装置が、前記基準値外であることが判定されたとき、前記操作対象の開閉器の動作の異常ログを、前記動作時間ログに続けて出力するステップと、
を有することを特徴とする開閉器一括遠隔監視方法。
【請求項４】
請求項１又は２に記載の開閉器一括遠隔監視方法であって、
前記開閉器一括監視装置が、前記動作時間信号が示す前記操作対象の開閉器の動作時間と予め記憶しておいた前記開閉器の標準動作時間との差が基準値以内か否かを判定するステップと、
前記開閉器一括監視装置が、前記基準値外であることが判定されたとき、前記操作対象の開閉器の動作の異常通知信号を、前記遠隔監視制御装置に送信するステップと、
前記遠隔監視制御装置が、前記開閉器一括監視装置より受信した前記異常通知信号に基づき、前記操作対象の開閉器の動作の異常ログを、前記動作時間ログに続けて出力するステップと、
を有することを特徴とする開閉器一括遠隔監視方法。  
【請求項５】
遠隔監視制御装置が制御所に配置され、当該遠隔監視制御装置と通信可能に接続された遠隔監視制御対象機器である複数の開閉器と、当該複数の開閉器の各制御部及び当該複数の開閉器以外の機器の各制御部に流れる制御電流を配線用遮断器より分岐して供給する制御電源と、当該複数の開閉器の動作を一括監視する開閉器一括監視装置と、が電気所に配置され、前記遠隔監視制御装置が前記開閉器一括監視装置を介して前記複数の開閉器の動作を一括監視する開閉器一括遠隔システムであって、
前記開閉器一括監視装置は、
前記配線用遮断器を流れる主幹電流波形を測定する電流波形測定部と、
前記遠隔監視制御装置からの操作指令に基づき操作対象の開閉器の動作が開始してから終了するまでの間、前記電流波形測定部により測定された主幹電流波形を前記操作対象の開閉器の制御電流波形として記録する波形記録部と、
前記記録装置により記録された制御電流波形に基づき制御電流が流れた時間を前記操作対象の開閉器の動作時間として検出して当該動作時間を示す動作時間信号を出力する動作時間検出部と、を有し、
前記遠隔監視制御装置は
前記複数の開閉器のうち操作指令を送信した操作対象の開閉器の操作ログと、当該操作対象の開閉器に操作指令を送信した後に前記開閉器一括監視装置より受信する動作時間信号が示す当該操作対象の開閉器の動作時間ログと、を出力するログ出力部を有すること、
を特徴とする開閉器一括遠隔監視システム。
【発明の詳細な説明】
【技術分野】
【０００１】
本発明は、開閉器一括遠隔監視方法、開閉器一括遠隔監視システムに関する。
【背景技術】
【０００２】
遠隔地にある制御所（給電所も含む）より電気所（発電所、変電所等）に配置された開閉器（遮断器、断路器）の状態を把握するための開閉器遠隔監視システムとして、特許文献１、２に開示された技術が提案されている。
【０００３】
特許文献１では、変電所に配置される遮断器に、当該遮断器への電流入力を検知するためのＣＴセンサ、開閉指令入力を検知するためのＴＣセンサ、接点コンタクトを検知するためのＣＣセンサ及びこれらのセンサにより検知されたデータを収集するデータ収集装置を設けることが開示されている。また、変電所と通信網を介して通信可能に接続された監視センターの監視装置が、上記のセンサにより検知された信号を受信することで、遠隔地にある変電所の遮断器の特性のトレンドを画面表示することが開示されている。  
特許文献２では、変電所に設置された遠方操作機器である遮断器又は断路器を開閉させるための指令信号を、変電所ごとにまたは複数の変電所毎に設けられた遠制装置から当該遮断器（又は断路器）に入力し、当該指令信号に対する当該遮断器（又は断路器）の開閉動作に応じて作動する補助スイッチ（又はリミットスイッチ）の出力信号を当該遮断器（又は断路器）から当該遠制装置に入力し、当該補助スイッチ（又はリミットスイッチ）の出力信号に応じて当該遮断器（又は断路器）の状態を判定することが開示されている。また、遠制装置が、指令信号を遮断器（又は断路器）に入力した時間から補助スイッチ（又はリミットスイッチ）の出力信号が変化するまでの時間を測定し、この測定した時間の長短により遮断器（又は断路器）の状態を判定することが開示されている。
【先行技術文献】
【特許文献】
【０００４】
【特許文献１】特開２００２−１７１６９６号公報
【特許文献２】特開２００５−１６８１２１号公報
【発明の概要】
【発明が解決しようとする課題】
【０００５】
しかし、特許文献１に開示された開閉器遠隔監視システムを構築する場合には、変電所に配置される複数の遮断器等の諸設備毎に、当該諸設備への電流入力を検知するためのＣＴセンサ、開閉指令入力を検知するためのＴＣセンサ、接点コンタクトを検知するためのＣＣセンサ及びこれらのセンサにより検知されたデータを収集するデータ収集装置を設ける必要があり、システム構築コストが過大になるという課題がある。
【０００６】
また、特許文献２に開示された開閉器遠隔監視システムを構築する場合には、変電所毎に設けられた遠制装置は、変電所に設置された複数の遮断器（又は断路器）毎に、開閉動作に応じて作動する各補助スイッチ（又はリミットスイッチ）の出力信号を入力するための入力端子を必要とするので、その装置規模が大きくなるという課題がある。また、遠制装置は、入力された複数の補助スイッチ（又はリミットスイッチ）の出力信号に対し、遮断器（又は断路器）に指令信号を入力した時間から当該出力信号が変化するまでの時間を測定する機能や、測定された時間の長短により対象とする遮断器（又は断路器）の状態を判定する機能を備える必要がある。このため、それらの機能を実現するための制御回路が複雑化するとともにその回路規模が過大になるという課題もある。
【課題を解決するための手段】
【０００７】
前述した課題を解決する主たる本発明は、遠隔監視制御装置が制御所に配置され、当該遠隔監視制御装置と通信可能に接続された遠隔監視制御対象機器である複数の開閉器と、当該複数の開閉器の各制御部及び当該複数の開閉器以外の機器の各制御部に流れる制御電流を配線用遮断器より分岐して供給する制御電源と、当該複数の開閉器の動作を一括監視する開閉器一括監視装置と、が電気所に配置され、前記遠隔監視制御装置が前記開閉器一括監視装置を介して前記複数の開閉器の動作を一括監視する開閉器一括遠隔方法であって、前記遠隔監視制御装置が、前記複数の開閉器のうち操作対象の開閉器に操作指令を送信するとともに、当該操作対象の開閉器の操作ログを出力するステップと、前記開閉器一括監視装置が、前記遠隔監視制御装置からの操作指令に基づき前記操作対象の開閉器の動作が開始してから終了するまでの間、前記制御電源の前記配線用遮断器を流れる主幹電流波形を測定して前記操作対象の開閉器の制御電流波形として記録するステップと、前記開閉器一括監視装置が、記録された制御電流波形に基づき制御電流が流れた時間を前記操作対象の開閉器の動作時間として検出するステップと、前記開閉器一括監視装置が、検出した前記操作対象の開閉器の動作時間を示す動作時間信号を、前記遠隔監視制御装置に送信するステップと、前記遠隔監視制御装置が、前記開閉器一括監視装置から受信した動作時間信号が示す前記操作対象の開閉器の動作時間ログを、前記操作ログに続けて出力するステップと、を有することを特徴とする。
【０００８】
また、上記の開閉器一括遠隔監視方法であって、前記開閉器一括監視装置が、測定した主幹電流波形から定常電流を差し引いた相対電流波形が、前記開閉器の制御電流波形の特性に基づき前記複数の開閉器のいずれかの制御部に流れる制御電流波形であるか否かを判定するステップと、前記開閉器一括監視装置が、前記制御電流波形であることが判定されたとき、測定した主幹電流波形を制御電流波形として記録するステップと、前記開閉器一括監視装置が、制御電流波形の記録が完了したことを示す状態信号を、前記動作時間信号とともに前記遠隔監視制御装置に送信するステップと、前記遠隔監視制御装置が、前記操作指令を送信した後に前記開閉器一括監視装置より前記動作時間信号とともに前記状態信号を受信するか否かを監視するステップと、前記遠隔監視制御装置が、前記状態信号を受信した場合、前記開閉器一括監視装置の動作ログを、前記操作ログに続けて出力するステップと、を有することとしてもよい。
【０００９】
また、上記の開閉器一括遠隔監視方法であって、前記遠隔監視制御装置が、前記動作時間信号が示す前記操作対象の開閉器の動作時間と予め記憶しておいた前記開閉器の標準動作時間との差が基準値以内か否かを判定するステップと、前記遠隔監視制御装置が、前記基準値外であることが判定されたとき、前記操作対象の開閉器の動作の異常ログを、前記動作時間ログに続けて出力するステップと、を有してもよい。
【００１０】
また、上記の開閉器一括遠隔監視方法であって、前記開閉器一括監視装置が、前記動作時間信号が示す前記操作対象の開閉器の動作時間と予め記憶しておいた前記開閉器の標準動作時間との差が基準値以内か否かを判定するステップと、前記開閉器一括監視装置が、前記基準値外であることが判定されたとき、前記操作対象の開閉器の動作の異常通知信号を、前記遠隔監視制御装置に送信するステップと、前記遠隔監視制御装置が、前記開閉器一括監視装置より受信した前記異常通知信号に基づき、前記操作対象の開閉器の動作の異常ログを、前記動作時間ログに続けて出力するステップと、を有してもよい。
【００１１】
また、前述した課題を解決する主たるその他の本発明は、遠隔監視制御装置が制御所に配置され、当該遠隔監視制御装置と通信可能に接続された遠隔監視制御対象機器である複数の開閉器と、当該複数の開閉器の各制御部及び当該複数の開閉器以外の機器の各制御部に流れる制御電流を配線用遮断器より分岐して供給する制御電源と、当該複数の開閉器の動作を一括監視する開閉器一括監視装置と、が電気所に配置され、前記遠隔監視制御装置が前記開閉器一括監視装置を介して前記複数の開閉器の動作を一括監視する開閉器一括遠隔システムであって、前記開閉器一括監視装置は、前記配線用遮断器を流れる主幹電流波形を測定する電流波形測定部と、前記遠隔監視制御装置からの操作指令に基づき操作対象の開閉器の動作が開始してから終了するまでの間、前記電流波形測定部により測定された主幹電流波形を前記操作対象の開閉器の制御電流波形として記録する波形記録部と、前記記録装置により記録された制御電流波形に基づき制御電流が流れた時間を前記操作対象の開閉器の動作時間として検出して当該動作時間を示す動作時間信号を出力する動作時間検出部と、を有し、前記遠隔監視制御装置は、前記複数の開閉器のうち操作指令を送信した操作対象の開閉器の操作ログと、当該操作対象の開閉器に操作指令を送信した後に前記開閉器一括監視装置より受信する動作時間信号が示す当該操作対象の開閉器の動作時間ログと、を出力するログ出力部を有すること、を特徴とする。
【発明の効果】
【００１２】
本発明によれば、電気所の各開閉器の動作を一括して遠隔監視するコストを低減することができる。
【図面の簡単な説明】
【００１３】
【図１】遮断器が投入操作した時の直流電源装置の配線用遮断器ＭＣＣＢに流れる主幹電流波形及びその電流変化率の時間推移を示した図である。
【図２】遮断器の引外し操作の際に引外しコイルに流れる引外しコイル電流の波形（制御電流波形）を示した図である。
【図３】開閉器一括監視システムの構成を示した図である。
【図４】遠隔監視制御装置の構成を示した図である。
【図５】開閉器一括監視装置の構成を示した図である。
【図６】開閉器一括監視装置による遮断器の制御電流波形及び操作電流波形の判定フローを示したフローチャートである。
【図７】遠隔監視制御装置による遮断器の動作監視フローを示したフローチャートである。
【発明を実施するための形態】
【００１４】
＜＜＜開閉器一括遠隔監視システムの概要＞＞＞
本発明の実施の形態の開閉器一括遠隔監視システムは、制御所（給電所を含む）に配置された遠隔監視制御装置と、電気所（発電所、変電所等）に配置された複数の開閉器（遮断器、断路器）と接続される遠制装置（遠隔制御装置）と、を通信網を介して通信可能に接続し、電気所内に配置された遠隔監視制御対象機器である複数の開閉器の動作を一括して制御所内に配置された遠隔監視制御装置により遠隔監視を行うものである。
【００１５】
また、複数の開閉器の動作を一括監視すべく、電気所に配置された複数の開閉器の各制御部に流れる制御電流の供給源である制御電源において、当該制御電源が具備する配線用遮断器ＭＣＣＢ（Molded Case Circuit Breaker)に流れる主幹電流波形を測定する電流波形測定部を設ける。つまり、制御電源電流を各機器に分岐する前の経路上に電流波形測定部を設けることで、全ての機器の制御電流波形を一括して測定できる。
【００１６】
さらに、複数の開閉器の動作を一括監視するための開閉器一括監視装置を電気所に配置する。開閉器一括監視装置は、上記の電流波形測定部により測定された制御電源の配線用遮断器ＭＣＣＢに流れる主幹電流波形を所定時間分記録するとともに、投入操作時又は引外し操作時に開閉器の制御部に流れる制御電流波形であるか否かの判定を行う。そして、主幹電流波形が制御電流波形であると判定した場合、開閉器の動作波形として記録（装置内に保存）する。
【００１７】
制御電流波形であるか否かの判定は、制御電源の主幹電流波形により導出される特性を用いて行う。尚、主幹電流波形の測定箇所である直流電源装置の配線用遮断器ＭＣＣＢは、常時一定量の変化の少ない定常電流が流れているため、主幹電流波形の各測定値から定常電流を差し引いた相対電流波形に基づいて判定を行う。
【００１８】
図１は、開閉器の一例として遮断器が投入操作した時の制御電源の配線用遮断器ＭＣＣＢに流れる主幹電流波形及びその電流変化率の時間推移を示した図である。尚、電流変化率は、５サンプリングの移動平均で算出した値とする。図１に示す主幹電流波形及びその電流変化率の時間推移より以下の特性を導出できる。
【００１９】
第１に、主幹電流波形が遮断器の制御電流波形である場合の波高値（定常電流を差し引いた相対電流波形）は、１Ａ以上（通常は５Ａ程度）である（電流量特性）。第２に、主幹電流波形が遮断器の制御電流波形となる期間は、比較的短時間（１Ｓ未満が殆ど）である（時間特性）。第３に、図１中の破線で囲まれた箇所Ａのように、遮断器の投入操作が開始されると同時に、Ｌ／Ｒの時定数を持って主幹電流波形（制御電流波形）が上昇する（波形開始特性）。第４に、図１中の破線で囲まれた箇所Ｂのように、遮断器の補助接点が投入操作完了時に開くときアーク抵抗により主幹電流波形（制御電流波形）が急減する（波形終了特性）。第５に、図１中の破線で囲まれた箇所Ｃのように、主幹電流波形（制御電流波形）がＬ／Ｒの時定数を持って上昇していく過程で、電流上昇率が一旦急変する（波形中間特性）。
【００２０】
以上の５つの特性のうち、少なくとも第３、第４、第５の特性（好ましくは全ての特性）を満足する主幹電流波形が遮断器の制御電流波形である、と判定することができる。
【００２１】
さらに、開閉器一括監視装置は、上記の電流測定手段により測定された主幹電流波形を制御電流波形と判定したときに生成する状態信号と、制御所の遠隔監視制御装置より電気所の複数の開閉器の中で指定された開閉器に対し所定の操作が行われる場合、指定された開閉器の操作開始から所定の補助接点が操作終了時に動作するまでの時間を示す動作時間信号と、を遠制装置を介して制御所の遠隔監視制御装置に送信する。
【００２２】
制御所の遠隔監視制御装置は、自身が遠隔操作を行った開閉器を特定することが容易であるため、電気所の遠制装置より送信された状態信号及び動作時間信号に基づいて、通常の開閉器の操作ログの後に続いて、当該開閉器の動作時間ログを出力する仕組みを設ける。この出力されたログを参照することで、電気所の開閉器を操作する度に、開閉器の動作時間の確認が可能となる。
【００２３】
また、制御所の遠隔監視制御装置は、電気所の各開閉器の標準動作時間や定格等の情報を予め格納しておき、開閉器の操作に応じて動作時間信号が伝送されてくる度に標準動作間と比較することで、当該開閉器の動作が正常であるか否かの判定や不具合の兆候があるか否か等の判定を行う。これにより、制御所の遠隔監視制御装置は、電気所の各開閉器の状態をリアルタイムで把握することが可能となる。
【００２４】
開閉器の動作不具合の兆候を開閉器の制御電流波形により判定できることを、図２に示す遮断器の引外し操作の際に引外しコイルに流れる引外しコイル電流波形（制御電流波形）を例に挙げて説明する。
【００２５】
図２に示されるように、引外しコイル電流波形の動作時間を５つの区間Ｄ１〜Ｄ５に区分した場合、５つの区間Ｄ１〜Ｄ５は次の要因により延長することが推定される。
【００２６】
区間Ｄ１は、引外しコイルのプランジャーロッド部２がグリス固着やピンのかじり等が要因となって動作しない場合に、延長することが推定される。区間Ｄ２は、引外しコイルのプランジャーロッド部２がピン（不図示）のかじり等が要因となってスムーズに動作しない場合に、延長することが推定される。区間Ｄ３は、引外しコイルのプランジャーロッド部２は動作したがリンク機構３の動作がグリス固着やピンのかじり等が要因となって重くなる場合に、延長することが推定される。区間Ｄ４は、引外しコイルのプランジャーロッド部２は動作したが、リンク機構３の動作時間が間延びしたか又は遮断器の主回路接点（パレットスイッチのａ接点）が切り遅れた場合に、延長することが推定される。区間Ｄ５は、遮断器の主回路接点が異常の場合、延長することが推定される。
【００２７】
従って、引外しコイル電流波形の動作時間を区分した５つの区間Ｄ１〜Ｄ５は、グリス固着、ピンのこじれ、リンク機構３のこじれ等の要因によって延長することが推定される。そこで、引外しコイル電流波形の各区間Ｄ１〜Ｄ５をそれらの標準動作時間と比較することで、遮断器の引外し操作時の動作不具合の兆候を推定することができる。また、各区間Ｄ１〜Ｄ５単位の判定の他に、引外しコイル電流波形の動作時間（全区間Ｄ１〜Ｄ５）をその標準動作時間と比較することで、遮断器の引外し操作時の動作不具合の兆候を推定してもよい。
【００２８】
遮断器の投入操作時の場合も同様に、投入コイル電流波形の各区間Ｄ１〜Ｄ５をそれらの標準動作時間と比較することで、遮断器の投入操作時の動作の不具合の兆候を推定することができる。
【００２９】
＜＜＜開閉器一括遠隔監視システムの構成＞＞＞
図３は、本発明の一実施形態に係る開閉器一括遠隔監視システムの構成を示した図である。尚、図３には、複数の開閉器を含めた機器の一例として遮断器５２のみが図示されている。
【００３０】
電気所は、電力系統を構成する電線路上に設けられる遮断器５２の他に、直流電源装置１０と、分電盤２０、３０と、遠隔監視制御装置（以下、遠制装置と呼ぶ。）４０と、遮断器５２と、自動復旧回路７０と、保護継電器回路８０と、開閉器一括監視装置１００と、を有する。
【００３１】
直流電源装置１０は、複数の開閉器を含めた電気所の機器に対し、当該機器夫々を制御するための制御電流と、当該機器夫々を実際に操作するための操作電流と、を供給する直流電源である。つまり、直流電源装置１０は、各機器に供給する制御電流を一括して生成する制御電源と、各機器に供給する操作電流を一括して生成する操作電源と、を具備している。尚、本実施の形態に限定されず、制御電源と操作電源は個別の直流電源装置に設けるようにしてもよい。
【００３２】
開閉器の制御電流は、遮断器５２の引外し操作時や投入操作時の各制御電流、具体的には、遮断器５２の引外しコイル５２Ｔに流れる引外しコイル電流および投入用制御用継電器５２ＣＸに流れる電流とする。また、開閉器の操作電流は、遮断器５２の投入操作時の操作電流、具体的には、遮断器５２の投入コイル５２Ｃに流れる投入コイル電流とする。尚、投入操作時の方が、引外し操作時よりも多大な電流を必要とするため、本実施の形態では、投入コイル電流のみを操作電流として取り扱うことにしたが、引外しコイル電流を操作電流として取り扱うようにしてもよい。
【００３３】
直流電源装置１０は、給電母線１１と、給電母線１１の電源側に設けられ交流電源からの交流電流を直流電流に変換する整流器１２と、整流器１２と給電母線１とを接続する配線上に設けられる配線用遮断器ＭＣＣＢ１と、給電母線１１の電源側に設けられ整流器１２より出力される直流電流を充電する蓄電池１３と、を有する。
【００３４】
さらに、直流電源装置１０は、給電母線１１の直流電源より分割された制御電源を分電盤２０に向けて出力する制御電源出力端子１４と、給電母線１１と制御電源出力端子１４との間の配線上に設けられ第１最大値の主幹電流Ｉ１を流すことが可能な配線用遮断器ＭＣＣＢ２と、給電母線１１の直流電源より分割された操作電源を分電盤３０に向けて出力する操作電源出力端子１５と、予備として未使用である一又は複数の電源出力端子１６と、給電母線１１と操作電源端子１５との間の配線上に設けられ第１最大値よりも大きい第２最大値の主幹電流Ｉ２を流すことが可能な配線用遮断器ＭＣＣＢ３と、を有する。つまり、配線用遮断器ＭＣＣＢ１は、主幹電流Ｉ１の第１最大値と主幹電流Ｉ２の第２最大値とを加算した値に対し更に予備分を加えた第３最大値の主幹電流を流すことが可能な定格容量のものを用いる。
【００３５】
直流電源装置１０より制御電源出力端子１４を介して分電盤２０に供給される主幹電流Ｉ１の波形はクランプ式電流変成器ＣＴ１により測定される。また、直流電源装置１０より操作電源出力端子１５を介して分電盤３００に供給される主幹電流Ｉ２の波形はクランプ式電流変成器ＣＴ２により測定される。なお、連系変電所等の大規模な電気所の場合、制御電源が分割されている。この場合、主幹電流Ｉ１の波形の測定精度を向上するために、制御電源単位にクランプ式電流変成器ＣＴ１を設けることが好ましい。
【００３６】
分電盤２０は、直流電源装置１０の制御電源出力端子１４を介して供給される制御電源を各機器に分配する受電設備である。分電盤２０は、制御電源母線２１と、直流電源装置１０の制御電源出力端子１４と接続されるとともに制御電源母線２１と接続される制御電源入力端子２２と、制御電源母線２１より分配された複数の制御電源を各機器に出力する複数の制御電源出力端子２３と、を有する。本実施形態の場合、複数の制御電源出力端子２３と接続される各機器の一例として、遠制装置４０、遮断器５２の投入制御回路６０及び引外し回路６２等を例示している。
【００３７】
分電盤３０は、直流電源装置１０の操作電源出力端子１５を介して供給される操作電源を各機器に分配する受電設備である。分電盤３０は、操作電源母線３１と、直流電源装置１０の操作電源出力端子１５と接続されるとともに操作電源母線３１と接続される操作電源入力端子３２と、操作電源母線３１より分配された複数の操作電源を各機器に出力する複数の操作電源出力端子３３と、を有する。本実施形態の場合、複数の操作電源出力端子３３と接続される各機器の一例として、遮断器５２の投入回路６４を例示している。
【００３８】
遠制装置４０は、通信網２１０を介して制御所に配置された遠隔監視制御装置２００と通信可能に接続され、遠隔監視制御装置２００の後述の親局２０１に対する子局として機能する。具体的には、遠制装置４０は、遠隔監視制御装置２００からの遮断器５２を含めた複数の開閉器に向けた投入指令又は引外し指令を所定の伝送手順により受信して各指令に応じた信号を当該複数の開閉器に送信する機能と、開閉器監視装置１００より出力される後述の状態信号Ｓ１及び動作時間信号Ｓ２を所定の伝送手順により遠隔監視制御装置２００に送信する機能と、を有する。尚、所定の伝送手順としては、情報を定周期で送受信するＣＤＴ（Cyclic Data Transfer）方式、イベント情報が発生する度に送受信するＨＤＬＣ(High level Data Link Control)方式等が採用される。
【００３９】
遠制装置４０は、分電盤２０の複数の制御電源出力端子２３の中の一つと接続される一の電源入力端子４１と、遠隔監視制御装置２００から受信した投入指令に基づいて複数の開閉器の中でいずれか一つの開閉器を投入する際に励磁される制御用継電器４２と、遠隔監視制御装置２００から受信した投入指令に基づいて複数の開閉器の中で投入操作を行う開閉器を選択する複数の選択用継電器４３と、複数の選択用継電器４３毎に対応づけられて設けられ選択用継電器４３により選択された開閉器の投入制御回路６０に向けて投入指令を出力する投入指令出力端子４４と、を有する。尚、制御用継電器４２及び複数の選択用継電器４３は、対応する継電器が励磁された場合に連動して閉じる主接点及び補助接点を夫々有する。
【００４０】
さらに、遠制装置４０は、遠隔監視制御装置２００から受信した引外し指令に基づいて複数の開閉器の中でいずれか一つの開閉器を遮断する際に励磁される制御用継電器４５と、遠隔監視制御装置２００から受信した引外し指令に基づいて複数の開閉器の中で引外し操作を行う開閉器を選択する複数の選択用継電器４６と、複数の選択用継電器４６毎に対応づけられて設けられ選択用継電器４６により選択された開閉器の引外し回路６２に向けて引外し指令を出力する引外し指令出力端子４７と、を有する。尚、制御用継電器４５及び複数の選択用継電器４６は、対応する継電器が励磁された場合に連動して閉じる主接点及び補助接点を夫々有する。
【００４１】
遮断器５２は、高圧・特別高圧向けの電線路（送電線又は配電線）に流れる電流の開閉を行う開閉器であり、真空遮断器、ガス遮断器、空気遮断器、磁気遮断器等の種類がある。遮断器５２は、絶縁ケース内に可動接触子と固定接触子とを具備する遮断部（不図示）と、投入制御回路６０と、引外し回路６２と、投入回路６４と、投入コイル５２Ｃ又は引外しコイル５２Ｔの駆動力を伝達するリンク機構（不図示）と、当該リンク機構より伝達された駆動力を絶縁操作ロッド等を介して遮断部の可動接触子に伝える駆動機構（不図示）と、を有する。尚、上記のリンク機構や駆動機構は、例えば、特開２００５−１６８１２１号公報の図２等に示されている。
【００４２】
以下、投入制御回路６０、引外し回路６２、投入回路６４について詳述する。投入制御回路６０及び引外し回路６２は分電盤２０の制御電源により動作し、投入回路６４は分電盤３０の操作電源により動作する。このため、遮断器５２は、電源系統として２系統有する。
【００４３】
投入制御回路６０は、分電盤２０の制御電源出力端子２３と接続された制御電源の正側制御電源線Ｐ１と負側制御電源線Ｎ１との間に、手動操作型の投入スイッチ３−５２Ｆ「入」と、投入用制御用継電器５２ＣＸと、反復防止用継電器５２ＣＺの補助接点５２ＣＺ（ｂ接点）と、を直列に接続し、投入用制御用継電器５２ＣＸ及び補助接点５２ＣＺ（ｂ接点）と並列に反復防止用継電器５２ＣＺ及び補助接点５２ＣＺ（ａ接点）を設け、補助接点５２ＣＺ（ａ接点）と並列に引外しコイル５２ＴのリミットスイッチＬＳ（ａ接点）を設けて構成される。尚、投入スイッチ３−５２Ｆ「入」は、断路端子コネクタを介して遮断器５２の外付けとされる。投入スイッチ３−５２Ｆ「入」と断路端子コネクタとの間には、遠制装置４０の複数の投入指令出力端子４４の中で対応する端子と接続されるとともに、自動復旧回路８０の出力側と接続される。
【００４４】
引外し回路６２は、分電盤２０の複数の制御電源出力端子２３の中の一つと接続された制御電源の正側制御電源線Ｐ１と負側制御電源線Ｎ１との間に、手動操作型の引外しスイッチ３−５２Ｆ「切」と、引外しコイル５２Ｔと、引外しコイル５２ＴのリミットスイッチＬＳ（ａ接点）と、を直列に接続して構成される。尚、引外しスイッチ３−５２Ｆ「切」は、断路端子コネクタを介して遮断器５２の外付けとされる。引外しスイッチ３−５２Ｆ「切」と断路端子コネクタとの間には、遠制装置４０の複数の引外し指令出力端子４７の中で対応する端子と接続されるとともに、保護継電器回路７０の出力側と接続される。
【００４５】
投入回路６４は、分電盤３０の複数の操作電源出力端子３３の中の一つと接続された操作電源の正側操作電源線Ｐ０と負側操作電源線Ｎ０との間に、投入用制御用継電器５２ＣＸの補助接点５２ＣＸ（ａ接点）と、投入コイル５２Ｃと、を直列に接続して構成される。
【００４６】
保護継電器回路７０は、引外しスイッチ３−５２Ｆ「切」と並列に設けられ、分電盤２０の複数の制御電源出力端子２３の中の一つと接続された制御電源（正側制御電源線Ｐ１）により動作する。保護継電器回路７０は、地絡事故や短絡事故を検出した場合、引外しスイッチ３−５２Ｆ「切」の手動操作よりも優先して、遮断器５２の引外し回路６２の引外しコイル５２Ｔを励磁させる。
【００４７】
自動復旧回路８０は、投入スイッチ３−５２Ｆ「入」と並列に設けられ、分電盤２０の複数の制御電源出力端子２３の中の一つと接続された制御電源（正側制御電源線Ｐ１）により動作する。自動復旧回路８０は、地絡事故や短絡事故を検出した場合、投入スイッチ３−５２Ｆ「入」の手動操作よりも優先して、遮断器５２の投入制御回路６０の投入用制御用継電器５２ＣＸを励磁させる。
【００４８】
遠隔監視制御装置２００は、図４に示される構成を有する。即ち、遠隔監視制御装置２００は、親局２０１、メモリ２０２、データベース２０３、ＣＰＵ２０４、入力装置２０５、表示装置２０６、ログ出力装置２０７を夫々バス２０８を介して通信可能に接続して構成される。尚、本願請求項に記載のログ出力部は、ログ出力装置２０７に対応する。
【００４９】
親局２０１は、電気所の遠制装置４０と通信可能に接続される遠制装置である。メモリ２０２は、ＣＰＵ２０４より実行されるプログラムや作業データを格納する。データベース２０３は、電気所に配置された複数の開閉器の情報を格納する。ＣＰＵ２０４は、メモリ２０２に格納されたプログラムを実行することで、遠隔監視制御装置２００全体の制御を統括するプロセッサである。入力装置２０５は、キーボード、マウス、タッチパネル等である。表示装置２０６は、液晶ディスプレイやプラズマディスプレイ等であり、電気所の電力系統図や電気所に配置された複数の開閉器の動作監視の結果等の各種表示を行う。ログ出力装置２０７は、電気所に配置された複数の開閉器の動作監視の結果のログ（後述の開閉器の操作ログ、動作時間ログ、異常ログを含む。）を出力する。ログ出力装置２０７より出力されたログは、ログ出力装置２０７内に格納されるようにしてもよいし、データベース２０３等に格納されるようにしてもよい。また、データベース２０３等に格納されたログは、表示装置２０６に表示することができる。
【００５０】
開閉器一括監視装置１００は、電気所に配置された複数の開閉器の動作を一括監視する装置である。開閉器一括監視装置１００は、図５に示される構成を有する。即ち、開閉器一括監視装置１００は、ＡＤＣ（ＡＤ変換器）１０１、メモリ１０２、データベース１０３、ＣＰＵ１０４、入力装置１０５、表示装置１０６を夫々バス１０８を介して通信可能に接続して構成される。尚、本願請求項に記載の波形記録部はデータベース１０３に対応し、本願請求項に記載の動作時間検出部はＣＰＵ１０４に対応する。
【００５１】
ＡＤＣ１０１は、クランプ式電流変成器ＣＴ１により測定される主幹電流Ｉ１の波形と、クランプ式電流変成器ＣＴ２により測定される主幹電流Ｉ２の波形と、遠制装置４０の制御用継電器４２、４５の各補助接点の開閉状態を表した接点信号Ｓ０と、を、所定のサンプリング周期で所定のバッファメモリ（リングバッファ等）にサンプリングする。メモリ１０２は、ＣＰＵ１０４より実行されるプログラムや作業データを格納する。データベース１０３は、複数の開閉器の動作波形（制御電流波形、操作電流波形）を記録保存する。ＣＰＵ１０４は、メモリ２０２に格納されたプログラムを実行することにより、開閉器一括監視装置１００全体の制御を統括するプロセッサである。入力装置１０５は、キーボード、マウス、タッチパネル等である。表示装置１０６は、液晶ディスプレイやプラズマディスプレイ等であり、電気所に配置された複数の開閉器の動作監視の結果等の各種表示を行う。
【００５２】
＜＜＜遮断器５２の操作時の主な流れ＞＞＞
以下、遮断器５２の引外し操作時及び投入操作時の主な流れを説明する。  
遮断器５２の引外し回路６２による引外し操作時の流れは次のとおりである。制御所の遠隔監視制御装置２００より遠制装置４０に送信される引外し指令、引外しスイッチ３−５２Ｆ「切」の手動操作による引外し指令又は保護継電器回路７０から出力される引外し指令により、投入時にリミットスイッチＬＳ（ａ接点）は閉じていることから、引外しコイル電流５２Ｔに引外しコイル電流（制御電流）が流れて励磁される。尚、この引外しコイル電流はクランプ式電流変成器ＣＴ１により検出される。引外しコイル５２Ｔが励磁されたとき、引外しコイル５２Ｔ内に設けられるプランジャーロッド部２が押し出され、プランジャーロッド部２の先端が接触する引外しフックがリンク機構（コロ等）との係合を解除する方向に回転する。これにより、遮断バネや圧接バネの力によって駆動機構が動作し、遮断部の可動接触子と固定接触子とを引き外す。
【００５３】
遮断器５２の投入制御回路６０及び投入回路６４による投入操作時の流れは次のとおりである。制御所の遠隔監視制御装置２００より遠制装置４０に送信される投入指令、投入スイッチ３−５２Ｆ「入」の手動操作による投入指令又は自動復旧回路８０から出力される投入指令により、反復防止用継電器５２ＣＺの補助接点５２ＣＺ（ｂ接点）が閉じていることから、投入用制御用継電器５２ＣＸに投入制御電流（制御電流）が流れて励磁される。尚、この投入制御電流はクランプ式電流変成器ＣＴ１により検出される。
【００５４】
投入用制御用継電器５２ＣＸの励磁により補助接点５２ＣＸが閉じ、投入コイル５２Ｃに投入操作電流（操作電流）が流れて励磁される。尚、この投入操作電流はクランプ式電流変成器ＣＴ２により検出される。投入コイル５２Ｃを励磁すると可動鉄心と一体に固定された操作ロッドが押し出され、操作ロッドの先端と接触するリンク機構を介して駆動機構が動作し、遮断部の可動接触子を固定接触子に接触させる。
【００５５】
尚、遮断器５２の投入操作完了によりリミットスイッチＬＳ（ａ接点）が閉じるため、反復防止用継電器５２ＣＺが励磁されて、補助接点５２ＣＺが開く。以降、反復防止用継電器５２ＣＺの励磁が自己保持され、連続した遮断器５２の投入指令に対する投入反復操作を防止する。
【００５６】
＜＜＜遮断器５２の制御電流波形及び操作電流波形判定フロー＞＞＞
以下、図６に示すフローチャートを用いて、開閉器一括監視装置１００による遮断器５２の制御電流波形及び操作電流波形の判定フローを説明する。尚、以下では特に断らない限り、本フローの動作主体は、メモリ１０２に格納されたプログラムに従って動作するＣＰＵ１０４である。
【００５７】
開閉器一括監視装置１００は、直流電源装置１０の配線用遮断器ＭＣＣＢ２に流れる主幹電流Ｉ１の波形をクランプ式電流変成器ＣＴ１を介して常時ＡＤＣ１０１のバッファメモリにサンプリングするとともに、直流電源装置１０の配線用遮断器ＭＣＣＢ３に流れる主幹電流Ｉ２の波形をクランプ式電流変成器ＣＴ２を介して常時ＡＤＣ１０１のバッファメモリにサンプリングする（Ｓ６００）。
【００５８】
開閉器一括監視装置１００は、ＡＤＣ１０１によりサンプリングされた主幹電流Ｉ１及び主幹電流Ｉ２の波形の電流変化率（複数サンプリングデータの移動平均）を監視しており、少なくともいずれか一方の電流変化率が急変するか（所定の変化率以上となるか）否かを判定する（Ｓ６０１）。ＡＤＣ１０１によりサンプリングされた主幹電流Ｉ１及び主幹電流Ｉ２の波形の少なくともいずれか一方の電流変化率が急変した場合（Ｓ６０１：ＹＥＳ）、制御電流及び操作電流が流れる時間よりも余裕を持たせた所定時間分の主幹電流Ｉ１及び主幹電流Ｉ２の波形をデータベース１０３に記録保存する（Ｓ６０２）。尚、短時間記録のためにトリガがかからない虞があるため、電流変化率が急変する前の主幹電流Ｉ１及び主幹電流Ｉ２の波形を記録することができるプリトリガ機能を有した記録を採用することが好ましい。
【００５９】
つぎに、開閉器一括監視装置１００は、データベース１０３に記録保存された主幹電流Ｉ１の波形のサンプリングデータ（ＡＤＣ１０１のバッファメモリに格納）に基づいて、主幹電流Ｉ１の波形より定常電流を差し引いた第１相対電流波形が、制御電流として規定された規定電流量以上であるか否かを判定する（Ｓ６０３）。例えば、引外し操作時の制御電流（引外しコイル電流）の規定電流量は１Ａ以上と規定されており、１Ａ未満の規定外のデータを排除するためである。第１相対電流波形が制御電流として規定された規定電流量未満の場合（Ｓ６０３：ＮＯ）、主幹電流Ｉ２の波形のサンプリングデータに基づいて、主幹電流Ｉ２の波形より定常電流を差し引いた第２相対電流波形が、操作電流として規定された規定電流量（例えば、２Ａ〜５Ａ）以上であるか否かを判定する（Ｓ６０８）。第２相対電流波形が操作電流の規定電流量以上である場合（Ｓ６０８：ＹＥＳ）にはＳ６０９に進み、第２相対電流波形が操作電流の規定電流量未満である場合（Ｓ６０８：ＮＯ）には主幹電流Ｉ１及び主幹電流Ｉ２の波形のサンプリングデータをＡＤＣ１０１のバッファメモリより消去してＳ６００に戻る。
【００６０】
つぎに、開閉器一括監視装置１００は、主幹電流Ｉ１の波形のサンプリングデータに基づいて、第１相対電流波形の急増時間（制御電流の規定電流量以上を継続する時間）が制御電流として規定された規定時間（例えば、１Ｓ）未満であるか否かを判定する（Ｓ６０４）。第１相対電流波形の急増時間が規定時間以上であれば（Ｓ６０４：ＮＯ）、遮断器５２の制御電流波形でないと判定され、主幹電流Ｉ１及び主幹電流Ｉ２の波形のサンプリングデータをＡＤＣ１０１のバッファメモリより消去してＳ６００に戻る。主幹電流Ｉ１より定常電流を差し引いた第１相対電流波形の急増時間が規定時間未満であれば（Ｓ６０４：ＹＥＳ）、Ｓ６０５に進む。
【００６１】
つぎに、開閉器一括監視装置１００は、主幹電流Ｉ１の波形のサンプリングデータに基づいて、主幹電流Ｉ１の波形より定常電流を差し引いた第１相対電流波形が所定の時定数（Ｌ／Ｒ）で上昇しているか否かを判定する（Ｓ６０５）。所定の時定数で上昇していない場合（Ｓ６０５：ＮＯ）、遮断器５２の制御電流波形でないと判定され、主幹電流Ｉ１及び主幹電流Ｉ２の波形のサンプリングデータをＡＤＣ１０１のバッファメモリより消去してＳ６００に戻る。所定の時定数で上昇する場合（Ｓ６０５：ＹＥＳ）、Ｓ６０６に進む。
【００６２】
つぎに、開閉器一括監視装置１００は、主幹電流Ｉ１の波形のサンプリングデータに基づいて、主幹電流Ｉ１の波形より定常電流を差し引いた第１相対電流波形の電流上昇率が一旦急変するか否かを判定する（Ｓ６０６）。電流上昇率が急変しない場合（Ｓ６０６：ＮＯ）、遮断器５２の制御電流波形でないと判定され、主幹電流Ｉ１及び主幹電流Ｉ２の波形のサンプリングデータをＡＤＣ１０１のバッファメモリより消去してＳ６００に戻る。電流上昇率が急変する場合（Ｓ６０６：ＹＥＳ）、Ｓ６０７に進む。
【００６３】
つぎに、開閉器一括監視装置１００は、主幹電流Ｉ１の波形のサンプリングデータに基づいて、主幹電流Ｉ１の波形より定常電流を差し引いた第１相対電流波形が所定の時定数で上昇した後に急減（所定の減少率で減少）するか否かを判定する（Ｓ６０７）。急減しない場合（Ｓ６０７：ＮＯ）、遮断器５２の制御電流波形でないと判定され、主幹電流Ｉ１及び主幹電流Ｉ２の波形のサンプリングデータをＡＤＣ１０１のバッファメモリより消去してＳ６００に戻る。急減する場合（Ｓ６０７：ＹＥＳ）、Ｓ６０９に進む。
【００６４】
つぎに、開閉器一括監視装置１００は、配線用遮断器ＭＣＣＢ２の開閉状況に基づいて、突入電流（電気機器に電源を投入したときに、一時的に流れる大電流）が発生したか否かを判定する（Ｓ６０９）。突入電流が発生した場合（Ｓ６０９：ＮＯ）、開閉器一括監視装置１００は、主幹電流Ｉ１及び主幹電流Ｉ２の波形のサンプリングデータをＡＤＣ１０１のバッファメモリより消去してＳ６００に戻る。
【００６５】
突入電流が発生しなかった場合（Ｓ６０９：ＹＥＳ）、開閉器一括監視装置１００は、主幹電流Ｉ１及び主幹電流Ｉ２の波形のサンプリングデータ、つまり制御電流波形及び操作電流波形をデータベース１０３に記録保存する（Ｓ６１０）。そして、開閉器一括監視装置１００は、遠制装置４０を介して遠隔監視制御装置２００に向けて、制御電流波形及び操作電流波形の記録保存が完了したことを示す状態信号Ｓ１、記録保存した制御電流波形より検出される遮断器５２の動作時間を示す動作時間信号Ｓ２を送信する（Ｓ６１１）。
【００６６】
ところで、図６のＳ６０１に示した主幹電流Ｉ１及び主幹電流Ｉ２の波形のサンプリングデータの記録を行うための判定を、制御用継電器４２、４５の各補助接点の開閉状態を表した接点信号Ｓ０に基づいて行ってもよい。具体的には、遠制装置４０は、遠隔監視制御装置２００より操作対象の開閉器が選択される場合、開閉器単位に設置される選択用継電器４３、４６が動作し、遠隔監視制御装置２００より開閉器操作が行われる場合、各開閉器共通の制御用継電器４２、４５が動作して、選択用継電器４３、４６により選択された開閉器に操作指令が出力される仕組みとなっている。また、開閉器一括監視装置１００は、上記のとおり、制御用継電器４２、４５の各補助接点の開閉状態を表した接点信号Ｓ０を取得している。そこで、開閉器一括監視装置１００は、主幹電流Ｉ１及び主幹電流Ｉ２の波形のサンプリングデータの記録を行うための条件として、制御用継電器４２、４５の補助接点の接点信号Ｓ０に基づいて制御用継電器４２、４５が動作したことをトリガ条件としてもよい。
【００６７】
＜＜＜遮断器５２の動作監視フロー＞＞＞
図７は、制御所の遠隔監視制御装置２００による遮断器５２の動作監視フローを示すフローチャートである。尚、以下のフローの説明において、特に断らない限り、制御所側では遠隔監視制御装置２００のＣＰＵ２０４が動作主体となり、電気所側では開閉器一括監視装置１００のＣＰＵ１０４が動作主体となる
遠隔監視制御装置２００は、通信網２１０を介して電気所の遠制装置４０に遮断器５２の投入又は引外し操作指令を送信する。このとき、遠隔監視制御装置２００のログ出力装置２０７は、遮断器５２の操作ログを出力する（Ｓ７００）。操作ログとは、操作日時、操作内容、操作対象機器等を対応づけた操作の履歴情報のことである。
【００６８】
遠制装置４０は、遠隔監視制御装置２００より受信した投入又は引外し操作指令に基づき、制御用継電器４２又は４５及び選択用継電器４３又は４６を動作させる。例えば、投入操作指令の場合、投入用の制御用継電器４２が励磁され、投入操作対象の開閉器に対応した選択用継電器４３が励磁される。これにより、遮断器５２の投入操作が開始される（Ｓ７０１）。また、引外し操作指令の場合、引外し用の制御用継電器４５が励磁され、引外し操作対象の開閉器に対応した選択用継電器４６が励磁される。これにより、遮断器５２の引外し操作が開始される（Ｓ７０１）。
【００６９】
開閉器一括監視装置１００は、遮断器５２が動作したことに伴い、主幹電流Ｉ１及び主幹電流Ｉ２の波形の急変を検出する。そして、開閉器一括監視装置１００は、図６に示したフローチャートに従い、所定時間分の制御電流及び操作電流の波形のサンプリングデータをデータベース１０３に記録保存する（Ｓ７０２）。その後、開閉器一括監視装置１００は、遠制装置４０を介して遠隔監視制御装置２００に状態信号Ｓ１及び動作時間信号Ｓ２を送信する（Ｓ７０３）。
【００７０】
遠隔監視制御装置２００は、遮断器５２の操作指令を送信した後、遠制装置４０から状態信号Ｓ１及び動作時間信号Ｓ２が送られてくるか否かを監視している（Ｓ７０４）。遠隔監視制御装置２００は、遮断器５２の操作指令を送信した後に遠制装置４０から状態信号Ｓ１を受信できなかった場合（Ｓ７０４：ＮＯ）、開閉器一括監視装置１００より制御電流波形又は操作電流波形が特定できなかったこと、つまり遮断器５２の操作が正常に行われなかったことを識別する。
【００７１】
つぎに、遠隔監視制御装置２００は、遠制装置４０から状態信号Ｓ１の受信を確認できた場合（Ｓ７０４：ＹＥＳ）、ログ出力装置２０７によって、開閉器一括監視装置１００が正常に動作したことを示す動作ログ（動作イベント発生日時、開閉器一括監視装置１００の識別子、開閉器一括監視装置１００が動作した旨等を対応づけたログ）を、Ｓ７００で出力した操作ログに続けて出力する（Ｓ７０５）。さらに、遠制装置４０から状態信号Ｓ１とともに受信した動作時間信号Ｓ２に基づいて、ログ出力装置２０７によって、遮断器５２の動作時間を示した動作時間ログ（動作イベント発生日時、遮断器５２の識別子、遮断器５２の動作時間等を対応づけたログ）を、Ｓ７０５で出力した動作ログに続けて出力する（Ｓ７０６）。
【００７２】
つぎに、遠隔監視制御装置２００は、遠制装置４０から受信した動作時間信号Ｓ２が示す遮断器５２の動作時間と、メモリ２０２等に予め格納しておいた遮断器５２の標準動作時間との差が基準値以内か否かを判定する（Ｓ７０６）。基準値内であることが判定された場合（Ｓ７０６：ＮＯ）、遮断器５２の動作が正常であるため、Ｓ７００に戻る。一方、基準値外であることが判定された場合（Ｓ７０６：ＮＯ）、ログ出力装置２０７によって、遮断器５２の動作に異常が発生したことを通知するための異常ログ（異常イベント発生日時、遮断器５２の識別子、遮断器５２の動作に異常が発生した旨等を対応づけたログ）を、Ｓ７０５で出力した動作時間ログに続けて出力する（Ｓ７０７）。
【００７３】
尚、Ｓ７０７における遮断器５２の動作に異常が発生したか否かの判定は、開閉器一括監視装置１００が行ってもよい。この場合、開閉器一括監視装置１００は、上記異常ログの内容を通知する異常通知信号を、状態信号Ｓ１及び動作時間信号Ｓ２とともに、遠制装置４０を介して遠隔監視制御装置２００に送信する。また、遠隔監視制御装置２００は、開閉器一括監視装置１００から受信した状態信号Ｓ１、動作時間信号Ｓ２、異常通知信号（異常の場合のみ）に基づいて、ログ出力装置２０７によって、遮断器５２の操作ログ、開閉器一括監視装置１００の動作ログ、遮断器５２の動作時間ログ、遮断器５２の動作の異常ログ（異常の場合のみ）を、時系列に出力する。
【００７４】
表１は、○○変電所の○○線に配置された遮断器番号１０１の遮断器５２を投入操作した場合に、遮断器番号１０１の遮断器５２の動作時間（３０．５ｍｓ）と標準動作時間との差が基準値内となるとき、遠隔監視制御装置２００のログ出力装置２０７によって出力されるログの一例を示している。表１の中で、１行目が遮断器５２の操作ログに対応し、２行目が開閉器一括監視装置２００の動作ログに対応し、３行目が遮断器５２の動作時間ログに対応している。
【表１】
2010178475.tif 000003
【００７５】
表２は、○○変電所の○○線に配置された遮断器番号１０１の遮断器５２を投入操作した場合に、その遮断器５２の動作時間（６０．３ｍｓ）と標準動作時間との差が基準値外となるとき、遠隔監視制御装置２００のログ出力装置２０７によって出力されるログの一例を示している。表２の中で、１行目が遮断器５２の操作ログに対応し、２行目が開閉器一括監視装置２００の動作ログに対応し、３行目が遮断器５２の動作時間ログに対応し、４行目が遮断器５２の異常ログに対応している。
【表２】
2010178475.tif 000004
【００７６】
以上、本発明によれば、電気所に開閉器一括監視装置１００を１台設置すれば、電気所の開閉器を停電することなく、当該電気所内の全ての開閉器の動作特性、具体的には、系統操作時や事故遮断時等において当該開閉器が動作する際にその制御部に流れる制御電流波形及び操作電流波形や、操作指令を発してから当該開閉器の制御用継電器の補助接点（５２ａ、５２ｂ等）が動作するまでの動作時間を測定できる。つまり、１台の開閉器一括監視装置１００によって、電気所内の全ての開閉器の状態を低コストで把握することが可能である。
【００７７】
また、上記の表１、表２に示すとおり、遠隔監視制御装置２００は、遮断器５２の通常の操作ログに続けて、開閉器一括監視装置１００の動作ログと、遮断器５２の動作時間を示す動作時間ログと、遮断器５２の動作に異常が発生した場合には異常ログと、を続けて出力する。これらの出力されたログによって、電気所の開閉器を一々停止して点検作業しなくても、電気所の開閉器を操作する毎に、電気所の開閉器の状態把握をリアルタイムで行うことが可能である。
【００７８】
また、 遠隔監視制御装置２００は、ログ出力装置２０７によって、電気所全ての開閉器の動作時間を動作時間ログとしてデータベース２０３等に蓄積しているため、将来的な電気所の開閉器の予防保全のための基礎データを取得することができる。
【００７９】
また、遠隔監視制御装置２００は、電気所の各開閉器の標準動作時間をメモリ２０２等に予め格納しておき、遠制装置４０から送られる動作時間信号Ｓ２が示す動作時間と照合することで、開閉器の動作に異常が発生したか否かの判定を自動で行うことができる。このため、監視員による開閉器の動作良否の判断が不要となる。
【００８０】
また、グリス固化が原因となる遮断器の不具合を把握するためには、停電操作等の最初の操作時において遮断器の動作特性を測定することが有効であることが知られている。本実施の形態によれば、開閉器一括監視装置１００を配置しているため、停電操作前に専用の測定装置を設置することが不要となり、監視コストの低減化を図ることができる。
【００８１】
また、開閉器一括監視装置１００のデータベース１０３に記録保存されている開閉器の制御電流波形及び操作電流波形により詳細な分析（例えば、開閉器の不具合の前兆）が可能となり、事故に進展するよりも前に、実効性の高い予防保全の対応が可能となる。
【００８２】
以上、本発明の実施形態について前述したように説明したが、本発明の理解を容易にするためのものであり、本発明を限定して解釈するためのものではない。本発明は、その趣旨を逸脱することなく、変更／改良され得るととともに、本発明にはその等価物も含まれる。
【符号の説明】
【００８３】
１０    直流電源装置
ＣＴ１、ＣＴ２  電流変成器
ＭＣＣＢ１、ＭＣＣＢ２、ＭＣＣＢ３  配線用遮断器
２０、３０  分電盤
４０  遠制装置
４２、４５  制御用継電器
４３、４６  選択用継電器
５２  遮断器
６０  投入制御回路
６２  引外し回路
６４  投入回路
７０  保護継電器回路
８０  自動復旧回路
１００  開閉器一括監視装置
１０１  ＡＤＣ
１０２  メモリ
１０３  データベース
１０４  ＣＰＵ
１０５  入力装置
１０６  表示装置
２００  遠隔監視制御装置
２０１  親局
２０２  メモリ
２０３  データベース
２０４  ＣＰＵ
２０５  入力装置
２０６  表示装置
２０７  ログ出力装置
２０８  バス
２１０  通信網
【図１】
2010178475.tif 000005
【図２】
2010178475.tif 000006
【図３】
2010178475.tif 000007
【図４】
2010178475.tif 000008
【図５】
2010178475.tif 000009
【図６】
2010178475.tif 000010
【図７】
2010178475.tif 000011